(57)【要約】【課題】ポンプの振動傾向を正確に管理することができるポンプ装置および方法を提供する。【解決手段】本発明は、吸込水槽内の液体を汲み上げるポンプ装置に関する。このポンプ装置は、回転軸６、該回転軸６に固定された羽根車１０、および回転軸６を回転自在に支持する軸受１２，１５を有するポンプと、吸込水槽４０の液面位置を計測する液面計３０と、ポンプの振動を計測する振動計測器３４と、振動計測器３４の計測値を記録する記録装置４５と、記録装置４５による振動計測器３４の計測値の記録を開始および停止させる記録制御部４６とを備えている。記録制御部４６は、ポンプの吐出流量および吸込水槽４０の液面位置がそれぞれ所定の範囲内にあるときに、記録装置４５に計測値を記録させる。【選択図】図３
2010242730.tif 000002
【特許請求の範囲】
【請求項１】
吸込水槽内の液体を汲み上げるポンプ装置であって、
回転軸、該回転軸に固定された羽根車、および前記回転軸を回転自在に支持する軸受を有するポンプと、
前記吸込水槽の液面位置を計測する液面計と、
前記ポンプの振動を計測する振動計測器と、
前記振動計測器の計測値を記録する記録装置と、
前記記録装置による前記計測値の記録を開始および停止させる記録制御部とを備え、
前記記録制御部は、前記ポンプの吐出流量および前記吸込水槽の液面位置がそれぞれ所定の範囲内にあるときに、前記記録装置に前記計測値を記録させることを特徴とするポンプ装置。
【請求項２】
前記記録制御部は、前記吐出流量および前記液面位置のいずれもが前記所定の範囲内に入ったときに、前記記録装置による前記計測値の記録を開始させ、前記吐出流量および前記液面位置のいずれか一方が前記所定の範囲から逸脱したときに、前記記録装置による前記計測値の記録を停止させることを特徴とする請求項１に記載のポンプ装置。
【請求項３】
前記記録制御部は、前記ポンプの流量−全揚程曲線と、異なる実揚程に対応した複数の管路抵抗損失曲線とを記憶しており、
該記録制御部は、吐出側液面位置と前記吸込水槽の液面位置との差から実揚程を算出し、該実揚程に対応する管路抵抗損失曲線と前記流量−全揚程曲線とから吐出流量を算出することを特徴とする請求項１または２に記載のポンプ装置。
【請求項４】
前記ポンプの総運転時間を示す運転時間計をさらに備え、
前記記録装置は、前記計測値とともに該計測値が取得された運転時間を記録し、
前記記録制御部は、記録した前記計測値および前記運転時間から、前記計測値の変化を示す近似曲線を作成し、前記計測値が所定のしきい値を超える時間を前記近似曲線に基づいて予測することを特徴とする請求項１乃至３のいずれか一項に記載のポンプ装置。
【請求項５】
前記所定のしきい値は、摩耗した軸受を前記ポンプに設置して運転したときの前記振動計測器の計測値であることを特徴とする請求項４に記載のポンプ装置。
【請求項６】
前記吐出流量を調整する電動吐出弁をさらに備え、
前記記録制御部は、前記吐出流量が前記所定の範囲外にあるとき、前記電動吐出弁を操作して前記吐出流量を前記所定の範囲内に収めることを特徴とする請求項１に記載のポンプ装置。
【請求項７】
軸受に回転自在に支持された回転軸を介して羽根車を回転させることにより吸込水槽内の液体を汲み上げるポンプの振動の傾向を管理する方法であって、
前記吸込水槽の液面位置および前記ポンプの吐出流量を監視し、
前記ポンプの振動を計測し、
前記吐出流量および前記吸込水槽の液面位置がそれぞれ所定の範囲内にあるときに、前記ポンプの振動の計測値を記録することを特徴とする方法。
【請求項８】
前記吐出流量および前記液面位置のいずれもが前記所定の範囲内に入ったときに、前記計測値の記録を開始し、
前記吐出流量および前記液面位置のいずれか一方が前記所定の範囲から逸脱したときに、前記計測値の記録を停止することを特徴とする請求項７に記載の方法。
【請求項９】
吐出側液面位置と前記吸込水槽の液面位置との差から実揚程を算出し、
該実揚程に対応する管路抵抗損失曲線と前記ポンプの流量−全揚程曲線とから吐出流量を算出することを特徴とする請求項７または８に記載の方法。
【請求項１０】
前記計測値とともに該計測値が取得された運転時間を記録し、
記録した前記計測値および前記運転時間から、前記計測値の変化を示す近似曲線を作成し、
前記計測値が所定のしきい値を超える時間を前記近似曲線に基づいて予測することを特徴とする請求項７乃至９のいずれか一項に記載の方法。
【請求項１１】
前記所定のしきい値は、摩耗した軸受を前記ポンプに設置して運転したときの前記振動の計測値であることを特徴とする請求項１０に記載の方法。
【請求項１２】
前記吐出流量が前記所定の範囲外にあるとき、電動吐出弁を操作して前記吐出流量を前記所定の範囲内に収めることを特徴とする請求項７乃至１１のいずれか一項に記載の方法。
【発明の詳細な説明】
【技術分野】
【０００１】
本発明は、河川水や排水などの液体を汲み上げるポンプ装置およびポンプの振動傾向の管理方法に関するものである。
【背景技術】
【０００２】
ポンプ装置の点検・管理項目の一つとして、ポンプの振動計測が挙げられる。ポンプの振動は、主として回転軸を支持する軸受の摩耗が原因とされる。図１は、一般的な立軸ポンプを示す模式図である。図１に示すように、立軸ポンプは、水槽上部のポンプ据付床５００に設置され、吊下管５０２を介して羽根車５０４を収容するケーシング５０６が吊り下げられる。回転軸５０９は水中軸受５０８に回転自在に支持され、羽根車５０４と回転軸５０９は一体に回転する。このような立軸ポンプは、水中軸受５０８が水中に浸漬された状態で運転され、使用時間の経過とともに水中軸受５０８が徐々に摩耗する。
【０００３】
水中軸受５０８の摩耗が進行すると、ポンプの振動が大きくなる。したがって、ポンプの振動傾向を管理することにより、水中軸受５０８の摩耗の進行を把握することができる。特許文献１には、水中軸受の近傍部位の振動を計測することにより、水中軸受の摩耗の程度を検知する方法が開示されている。この方法によれば、計測値の推移をデータとして記録することにより、データから水中軸受を交換すべき時期を予想することができる。
【０００４】
しかしながら、吸込水槽の水位が変わると、吸込水槽内の水がケーシングに接触している領域が変わってくるため、ポンプ自体の固有振動数が変化して、振動の計測値が変わってしまう。また、ポンプの運転点は、図２に示すように、吐出水槽の水位と吸込水槽の水位との差、すなわち実揚程によって異なる。つまり、実揚程が変わると、ポンプの吐出流量や軸動力が異なってくる。その結果、水がポンプに与える力や振動となるエネルギー量が変化し、ポンプの振動が異なってしまう。このように、ポンプの振動は、実揚程によって変わってくるため、従来の方法では、ポンプの振動傾向の管理を満足に行うことができなかった。
【先行技術文献】
【特許文献】
【０００５】
【特許文献１】特開２００７−２８５２５３号公報
【発明の概要】
【発明が解決しようとする課題】
【０００６】
本発明は、上述した従来の問題点に鑑みてなされたもので、ポンプの振動傾向を正確に管理することができるポンプ装置および方法を提供することを目的とする。
【課題を解決するための手段】
【０００７】
上述した目的を達成するために、本発明の一態様は、吸込水槽内の液体を汲み上げるポンプ装置であって、回転軸、該回転軸に固定された羽根車、および前記回転軸を回転自在に支持する軸受を有するポンプと、前記吸込水槽の液面位置を計測する液面計と、前記ポンプの振動を計測する振動計測器と、前記振動計測器の計測値を記録する記録装置と、前記記録装置による前記計測値の記録を開始および停止させる記録制御部とを備え、前記記録制御部は、前記ポンプの吐出流量および前記吸込水槽の液面位置がそれぞれ所定の範囲内にあるときに、前記記録装置に前記計測値を記録させることを特徴とする。
【０００８】
本発明の好ましい態様は、前記記録制御部は、前記吐出流量および前記液面位置のいずれもが前記所定の範囲内に入ったときに、前記記録装置による前記計測値の記録を開始させ、前記吐出流量および前記液面位置のいずれか一方が前記所定の範囲から逸脱したときに、前記記録装置による前記計測値の記録を停止させることを特徴とする。
本発明の好ましい態様は、前記記録制御部は、前記ポンプの流量−全揚程曲線と、異なる実揚程に対応した複数の管路抵抗損失曲線とを記憶しており、該記録制御部は、吐出側液面位置と前記吸込水槽の液面位置との差から実揚程を算出し、該実揚程に対応する管路抵抗損失曲線と前記流量−全揚程曲線とから吐出流量を算出することを特徴とする。
【０００９】
本発明の好ましい態様は、前記ポンプの総運転時間を示す運転時間計をさらに備え、前記記録装置は、前記計測値とともに該計測値が取得された運転時間を記録し、前記記録制御部は、記録した前記計測値および前記運転時間から、前記計測値の変化を示す近似曲線を作成し、前記計測値が所定のしきい値を超える時間を前記近似曲線に基づいて予測することを特徴とする。
本発明の好ましい態様は、前記所定のしきい値は、摩耗した軸受を前記ポンプに設置して運転したときの前記振動計測器の計測値であることを特徴とする。
本発明の好ましい態様は、前記吐出流量を調整する電動吐出弁をさらに備え、前記記録制御部は、前記吐出流量が前記所定の範囲外にあるとき、前記電動吐出弁を操作して前記吐出流量を前記所定の範囲内に収めることを特徴とする。
【００１０】
本発明の他の態様は、軸受に回転自在に支持された回転軸を介して羽根車を回転させることにより吸込水槽内の液体を汲み上げるポンプの振動の傾向を管理する方法であって、前記吸込水槽の液面位置および前記ポンプの吐出流量を監視し、前記ポンプの振動を計測し、前記吐出流量および前記吸込水槽の液面位置がそれぞれ所定の範囲内にあるときに、前記ポンプの振動の計測値を記録することを特徴とする。
【００１１】
本発明の好ましい態様は、前記吐出流量および前記液面位置のいずれもが前記所定の範囲内に入ったときに、前記計測値の記録を開始し、前記吐出流量および前記液面位置のいずれか一方が前記所定の範囲から逸脱したときに、前記計測値の記録を停止することを特徴とする。
本発明の好ましい態様は、吐出側液面位置と前記吸込水槽の液面位置との差から実揚程を算出し、該実揚程に対応する管路抵抗損失曲線と前記ポンプの流量−全揚程曲線とから吐出流量を算出することを特徴とする。
【００１２】
本発明の好ましい態様は、前記計測値とともに該計測値が取得された運転時間を記録し、記録した前記計測値および前記運転時間から、前記計測値の変化を示す近似曲線を作成し、前記計測値が所定のしきい値を超える時間を前記近似曲線に基づいて予測することを特徴とする。
本発明の好ましい態様は、前記所定のしきい値は、摩耗した軸受を前記ポンプに設置して運転したときの前記振動の計測値であることを特徴とする。
本発明の好ましい態様は、前記吐出流量が前記所定の範囲外にあるとき、電動吐出弁を操作して前記吐出流量を前記所定の範囲内に収めることを特徴とする。
【発明の効果】
【００１３】
本発明によれば、同一の条件で振動が計測されるので、ポンプの振動の傾向（すなわち軸受の摩耗の進行）を正確に管理することができる。したがって、軸受の交換時期を正確に判断することができる。また、運転中の全てのデータを記録するのではなく、吐出流量および吸込水槽の液面位置がそれぞれ所定の範囲内にあるときにのみ計測値が記録されるので、記録装置の容量を小さくすることができ、コストを下げることができる。
【図面の簡単な説明】
【００１４】
【図１】一般的な立軸ポンプを示す模式図である。
【図２】揚程と吐出流量との関係を示すグラフ、および軸動力および吐出流量との関係を示すグラフである。
【図３】本発明の第１の実施形態に係るポンプ装置の全体構成を示す断面図である。
【図４】第１の実施形態に係る記録制御部の動作を示すフローチャートである。
【図５】図５（ａ）および図５（ｂ）は、第１の実施形態に係るポンプ装置の変形例を示す図である。
【図６】図６（ａ）および図６（ｂ）は、第１の実施形態に係るポンプ装置の変形例を示す図である。
【図７】本発明の第２の実施形態に係るポンプ装置の全体構成を示す断面図である。
【図８】記録された計測値に基づいて作成された近似曲線を示すグラフである。
【図９】本発明の第３の実施形態に係るポンプ装置の全体構成を示す断面図である。
【図１０】記録制御部に記憶されている流量−全揚程曲線と管路抵抗損失曲線を示すグラフである。
【図１１】本発明の第４の実施形態に係るポンプ装置の全体構成を示す断面図である。
【図１２】第４の実施形態に係る記録制御部の動作を示すフローチャートである。
【発明を実施するための形態】
【００１５】
以下、本発明の実施形態について図面を参照して説明する。
図３は本発明の第１の実施形態に係るポンプ装置の全体構成を示す断面図である。なお、本実施形態に係るポンプ装置は立軸ポンプに関するものであるが、本発明はこれに限らず、横軸ポンプや斜軸ポンプにも本発明を適用することができる。
【００１６】
本実施形態に係るポンプ装置は、吸込水槽４０から水（取扱液）を汲み上げる立軸ポンプを有している。この立軸ポンプは、図３に示すように、吸込ベルマウス１ａ及びポンプボウル１ｂを有するインペラケーシング１と、インペラケーシング１を吸込水槽４０内に吊り下げる吊下管３と、吊下管３の上端に接続される吐出曲管４と、インペラケーシング１内に収容される羽根車１０と、羽根車１０が固定される回転軸（立軸）６とを備えている。吊下管３は、吸込水槽４０の上方のポンプ据付床２２に形成された挿通孔２４を通して下方に延び、吊下管３の上端に設けられたポンプベース２３を介してポンプ据付床２２に固定される。回転軸６は、吐出曲管４、吊下管３、及びインペラケーシング１内を通って鉛直方向に延びている。ポンプケーシング２は、インペラケーシング１及び吊下管３により構成される。
【００１７】
吸込ベルマウス１ａは下方を向いて開口し、吸込ベルマウス１ａの上端はポンプボウル１ｂの下端に固定されている。羽根車１０は回転軸６の下端に固定されており、羽根車１０と回転軸６とは一体的に回転するようになっている。この羽根車１０の上方（吐出側）には複数のガイドベーン１４が配置されている。これらのガイドベーン１４はポンプボウル１ｂの内周面に固定されている。回転軸６は外軸受１１および水中軸受１２，１５により回転自在に支持されている。水中軸受１２はポンプボウル１ｂに収容されており、羽根車１０の上方に位置している。水中軸受１５は吊下管３に収容されている。外軸受１１は吐出曲管４に固定されている。水中軸受１２を支持する支持部材７はボウルブッシュ１３の内面に固定されており、さらに、ボウルブッシュ１３はガイドベーン１４を介してインペラケーシング１に支持されている。水中軸受１５を支持する支持部材１７は、吊下管３の内周面に固定されている。水中軸受１２，１５は、回転軸６に滑り接触する、いわゆる滑り軸受である。なお、符号１９はハンドホールである。
【００１８】
回転軸６は吐出曲管４から上方に突出して、駆動機１８に連結されている。駆動機１８により回転軸６を介して羽根車１０を回転させると、吸込水槽４０内の水が吸込ベルマウス１ａから吸い込まれ、ポンプボウル１ｂ、吊下管３、吐出曲管４を通って吐出管８に移送される。吐出管８は吐出水槽４１に接続されており、水は吐出管８から吐出水槽４１に流入する。吐出管８には、水の吐出流量を計測する流量計２８が設けられている。吸込水槽４０内には水位計（液面計）３０が配置されており、この水位計３０によって吸込水槽４０の水位（以下、吸込側水位という）が計測されるようになっている。なお、立軸ポンプ運転時においては、羽根車１０や水中軸受１２を収容するインペラケーシング１は、吸込水槽４０の液面よりも下に位置している。
【００１９】
吊下管３およびインペラケーシング１の側部には、振動計（振動計測器）３４を水中軸受１２の近傍まで案内する導管３５が設置されている。すなわち、導管３５は吊下管３の横に配置され、導管３５の下端は、水中軸受１２を支持するインペラケーシング１の近傍に位置しており、導管３５の上端はポンプ据付床２２の上方に位置している。導管３５の下端とインペラケーシング１とは連結部材３８によって互いに連結されている。振動計３４は、導管３５の上端から導管３５内に挿入され、ケーブル３６または図示しない吊り下げ用ワイヤなどにより導管３５の下端まで降下される。
【００２０】
振動計３４は、連結部材３８を介して伝達される立軸ポンプの振動を計測する。ケーブル３６には記録装置４５が接続されており、振動計３４の計測値は、ケーブル３６を通じて記録装置４５に送られる。記録装置４５は、振動計３４の計測値（振幅値、振動速度、振動加速度など）をデータとして記録するようになっている。
【００２１】
また、吊下管３の側部には、振動計５１を水中軸受１５の近傍まで案内する導管５２が設置されている。すなわち、導管５２は吊下管３の横に配置され、導管５２の下端は、水中軸受１５を支持する支持部材１７の近傍に位置しており、導管５２の上端はポンプ据付床２２の上方に位置している。導管５２の下端と吊下管３とは連結部材５４によって互いに連結されている。振動計５１は、導管５２の上端から導管５２内に挿入され、ケーブル５３または図示しない吊り下げ用ワイヤなどにより導管５２の下端まで降下される。このケーブル５３には上述した記録装置４５が接続されている。振動計５１は、連結部材５４を介して伝達される立軸ポンプの振動を計測し、その計測値はケーブル５３を介して記録装置４５に送られる。記録装置４５は、振動計５１の計測値（振幅値、振動速度、振動加速度など）をデータとして記録するようになっている。
【００２２】
記録装置４５には、該記録装置４５の記録動作を制御する記録制御部４６が接続されている。この記録制御部４６には、上述した水位計３０および流量計２８が電気的に接続されており、水位計３０および流量計２８の計測値（すなわち吸込側水位および吐出流量）が記録制御部４６に送信されるようになっている。記録制御部４６は、立軸ポンプの運転中、これら吸込側水位および吐出流量を監視しており、これらの値が所定の範囲内にあるときに記録装置４５に振動計３４，５１の計測値を記録させるようになっている。より具体的には、記録制御部４６には、予め設定された水位範囲および流量範囲が記憶されており、吸込側水位および吐出流量がそれぞれ上記設定水位範囲および設定流量範囲内にあるか否かを判断する。そして、吸込側水位が設定水位範囲内にあり、かつ吐出流量が設定流量範囲内にあるときに、記録制御部４６は記録装置４５に振動計３４，５１の計測値を記録させるようになっている。
【００２３】
以下、図４を参照して記録制御部４６の動作について詳細に説明する。ポンプの運転が開始されると、記録制御部４６は水位計３０および流量計２８から送信されてくる計測値、すなわち吸込側水位および吐出流量を監視する。そして、記録制御部４６は、吸込側水位および吐出流量が上述した設定水位範囲および設定流量範囲のいずれにも入ったときに、振動計３４，５１による立軸ポンプの振動計測を開始させ、かつ記録装置４５による振動の計測値の記録を開始させる。吸込側水位が設定水位範囲から逸脱したとき、または吐出流量が設定流量範囲から逸脱したときは、記録制御部４６は振動計３４，５１による立軸ポンプの振動の計測を停止させ、記録装置４５による振動の計測値の記録を停止させる。
【００２４】
本実施形態によれば、吸込側水位および吐出流量が所定の範囲内にあるときにのみ、振動（振幅、振動速度、振動加速度など）が計測される。つまり、実質的に同一の条件下で立軸ポンプの振動が計測されるので、計測値から振動の傾向を正確に管理することができる。水中軸受１２，１５の摩耗が進むと、立軸ポンプの振動が大きくなる。したがって、振動の計測値から水中軸受１２，１５の摩耗の程度を判断することができる。さらに、計測値の傾向から水中軸受１２，１５の交換時期を精度良く推測することも可能である。また、本実施形態によれば、上述した特定の条件のときに取得された計測値のみが記録されるので、記録装置４５の記憶容量を小さくすることができる。なお、記録装置４５には、計測日時、吐出流量、吸込側水位などを計測値に関連付けて記録してもよい。
【００２５】
なお、振動の計測箇所は水中軸受１２，１５の近傍に限られない。例えば、図５（ａ）に示すように、外軸受１１の振動を計測してもよい。この場合、図５（ａ）に示すように、外軸受１１に振動計測器３４を直接取り付けてもよく、または連結部材を介して振動計測器３４を取り付けてもよい。また、図５（ｂ）に示すように、ポンプベース２３のすぐ下の位置であって、ケーシング２（吊下管３）の外周面に座６０を取り付け、この座６０に振動計測器３４を取り付けてもよい。図５（ｂ）に示す例では、ポンプベース２３には鉛直方向に延びる貫通孔６２が形成されており、貫通孔６２から座６０まで延びる保護管６３が設けられている。なお、座６０を設けずに、振動計測器３４を吊下管３の外周面に直接取り付けてもよい。
【００２６】
さらに、図６（ａ）に示すように、ケーシング２（吊下管３）からポンプベース２３まで延びる剛体により形成されている座６０を吊下管３に取り付けて、この座６０の端部に振動計測器３４を設置してもよい。また、図６（ｂ）に示すように、ポンプベース２３に振動計測器３４を直接または間接的に取り付けてもよい。図５（ａ），図５（ｂ），図６（ａ），図６（ｂ）に示す例は適宜組み合わせてもよく、またこれらの例を図３に示す例と組み合わせてもよい。また、設置される振動計測器は１つでもよく、または複数であってもよい。
【００２７】
次に、本発明の第２の実施形態について説明する。図７は本発明の第２の実施形態に係るポンプ装置の全体構成を示す断面図である。なお、特に説明しない本実施形態の構成および動作は、上述した第１の実施形態と同様であるので、その重複する説明を省略する。図７に示すように、本実施形態に係るポンプ装置は、ポンプの総運転時間（積算運転時間）を示す運転時間計７０を有している。この運転時間計７０は、ポンプの運転が開始されると運転時間の積算を開始し、ポンプの運転が停止されると運転時間の積算を停止する。記録装置４５は、振動計測器の計測値と共に、該計測値が取得された運転時間を記録する。そして、記録制御部４６は、運転時間の経過に伴う計測値の変化を監視する。具体的には、記録制御部４６は、図８に示すように、運転時間を横軸、振動の大きさを示す物理量（振幅、振動速度、振動加速度など）を縦軸としたグラフ上に、記録された計測値の近似曲線を作成する。近似曲線は、回帰分析などの公知の手法を用いて作成することができる。
【００２８】
記録制御部４６には、所定のしきい値が設定されている。このしきい値は、水中軸受１２，１５の交換時期を示す値であり、使用される水中軸受１２，１５の仕様に応じて決定される。立軸ポンプの振動は、主として水中軸受１２，１５の摩耗による回転軸６の振れ回りが原因であるため、振動計測器の計測値が大きいということは、水中軸受１２，１５の摩耗の程度が大きいことを意味している。したがって、記録制御部４６は、作成した近似曲線と設定されたしきい値とから、計測値がしきい値を超える時期を予想することができる。
【００２９】
ポンプの振動の大きさは、ポンプの構造やポンプの設置状態によって変わりうる。したがって、正確な交換時期を判断するためには、上述したしきい値は、交換が必要な程度にまで摩耗した水中軸受を実際にポンプに取り付けた状態で計測された振動の値であることが好ましい。この場合、摩耗した水中軸受は、実際に摩耗した水中軸受ではなくてもよく、摩耗した状態を模擬した水中軸受でもよい。このように実測に基づいたしきい値を用いることにより、ポンプの構造や設置状態に応じた正確な水中軸受の交換時期を判断することができる。なお、この場合、摩耗の程度が異なる複数の水中軸受を用いて複数のしきい値を取得することが好ましい。それぞれの摩耗の程度に応じた複数のしきい値を取得することにより、振動と摩耗との相関関係が明確になり、水中軸受の摩耗の状態を振動の計測値から判断することができる。
【００３０】
次に、本発明の第３の実施形態について説明する。図９は本発明の第３の実施形態に係るポンプ装置の全体構成を示す断面図である。なお、特に説明しない本実施形態の構成および動作は、上述した第１または第２の実施形態と同様であるので、その重複する説明を省略する。本実施形態に係るポンプ装置は、吐出流量を流量計２８を用いて計測するのではなく、流量−全揚程曲線と管路抵抗損失曲線とを用いて吐出流量を算出する点で、第１および第２の実施形態と異なっている。
【００３１】
図９に示すように、吐出水槽４１には、該吐出水槽４１の水位（以下、吐出側水位という）を計測する水位計（液面計）３１が配置されている。この水位計３１の計測値は記録制御部４６に送信されるようになっている。記録制御部４６には、図１０に示すように、ポンプ性能曲線である流量−全揚程曲線と、異なる実揚程に対応した複数の管路抵抗損失曲線とが記憶されている。記録制御部４６は、吐出側水位と吸込側水位との差から実揚程を算出し、該実揚程に対応する管路抵抗損失曲線と前記流量−全揚程曲線とから運転点を算出する。この運転点における吐出流量が、算出された実揚程における吐出流量である。このようにして求められた吐出流量は、上述した実施形態と同様に、記録制御部４６によって監視される。なお、記録装置４５には、計測日時、吐出流量、吸込側水位、吐出側水位などを計測値に関連付けて記録してもよい。
【００３２】
次に、本発明の第４の実施形態について説明する。図１１は本発明の第４の実施形態に係るポンプ装置の全体構成を示す断面図である。なお、特に説明しない本実施形態の構成および動作は、上述した第１または第２または第３の実施形態と同様であるので、その重複する説明を省略する。本実施形態に係るポンプ装置は、図１１に示すように、吐出流量を調整する電動吐出弁７２を備えている。この電動吐出弁７２は吐出管８に設けられている。電動吐出弁７２は、記録制御部４６に電気的に接続されており、記録制御部４６からの指令を受けて動作するようになっている。
【００３３】
上述した実施形態と同様に、記録制御部４６は、ポンプの運転中、吐出流量が設定流量範囲内にあるか否かを判断する。そして、吐出流量が設定流量範囲外にある場合は、記録制御部４６は電動吐出弁７２を操作して、吐出流量が設定流量範囲に入るようにする。図１２は、本実施形態に係る記録制御部４６の動作を示すフローチャートである。記録制御部４６は、ポンプの運転が開始されると、実測または演算により求められる吐出流量を監視する。吐出流量が設定流量範囲内にない場合は、記録制御部４６はその吐出流量が設定流量範囲の上限値よりも大きいか否かを判断する。そして、吐出流量が設定流量範囲の上限値よりも大きい場合は、記録制御部４６は電動吐出弁７２を閉じる方向に操作する。一方、吐出流量が設定流量範囲の上限値よりも小さい場合（すなわち、吐出流量が設定流量範囲の下限値よりも小さい場合）は、記録制御部４６は電動吐出弁７２を開く方向に操作する。このように構成すれば、立軸ポンプの振動傾向の管理用のデータを定期的に、かつ確実に取得することができ、振動傾向の管理精度を向上させることができる。
【００３４】
なお、通常のポンプ運転時に、電動吐出弁７２が上記制御動作に基づいて開閉すると、立軸ポンプに要求されている所定の吐出流量を達成できないおそれがある。そこで、通常の排水運転時に電動吐出弁７２が開閉動作を行うことを避けるために、記録制御部４６は、上記制御動作を停止させることができる機能を有することが好ましい。例えば、記録制御部４６に、上記制御動作に従って電動吐出弁７２を操作する計測モードと、電動吐出弁７２を操作しない通常運転モードとを切り替えるスイッチを設け、操作員の判断によりスイッチを操作するようにすることが好ましい。
【００３５】
以上本発明の実施形態について説明したが、本発明は上記実施形態に限定されるものではなく、特許請求の範囲、及び明細書と図面に記載された技術的思想の範囲内において種々の変形が可能である。
【符号の説明】
【００３６】
１      インペラケーシング
１ａ    吸込ベルマウス
１ｂ    ポンプボウル
２      ポンプケーシング
３      吊下管
４      吐出曲管
６      回転軸
７      支持部材
８      吐出管
１０      羽根車
１０ａ    インペラハブ
１０ｂ    インペラ
１１      外軸受
１２，１５    水中軸受
１３      ボウルブッシュ
１４      ガイドベーン
１７      支持部材
１８      駆動機
１９      ハンドホール
２２      ポンプ据付床
２３      ポンプベース
２４      ポンプ挿通孔
２８      流量計
３０，３１      水位計
３４，５１    振動計
３５，５２    導管
３６，５３    ケーブル
３８，５４    連結部材
４０      吸込水槽
４１      吐出水槽
４５      記録装置
４６      記録制御部
６０      座
７０      運転時間計
７２      電動吐出弁
【図１】
2010242730.tif 000003
【図２】
2010242730.tif 000004
【図３】
2010242730.tif 000005
【図４】
2010242730.tif 000006
【図５】
2010242730.tif 000007
【図６】
2010242730.tif 000008
【図７】
2010242730.tif 000009
【図８】
2010242730.tif 000010
【図９】
2010242730.tif 000011
【図１０】
2010242730.tif 000012
【図１１】
2010242730.tif 000013
【図１２】
2010242730.tif 000014